(57)【要約】【課題】ハウジングの小型化を図ることが可能なＴＰＡ付きのコネクタを提供する。【解決手段】コネクタ１０は、結線部１１及び接続部１２を有する複数のコンタクト１と、これらのコンタクト１を縦横に配列するハウジング２と、このハウジングに嵌合して複数のコンタクト１の位置決めを保証するＴＰＡ３と、を備える。ＴＰＡ３は、相反する向きに形成されて、ハウジング２に挿入される対をなす複数のコンタクト１の第１段差１２ａに第１次係止する複数対の弾性係止片３１と、相反する向きに形成されて、対をなす複数のコンタクト１の第２段差１２ｂに第２次係止する複数対の剛体係止片３２と、を有する。【選択図】図１
2009076234.tif 000002
【特許請求の範囲】
【請求項１】
電線が接続される結線部、及びこの結線部の基端側に設けられて相手側コンタクトが接続される角筒状の接続部を有する複数のコンタクトと、これらのコンタクトを縦横に配列して収容するハウジングと、このハウジングに嵌合して前記複数のコンタクトの位置決めを保証する一つ以上の平板状の位置決め保証部材と、を備え、
前記コンタクトの接続部は、先端部側に設けられた第１段差と、基端部側に設けられた第２段差と、を有し、
前記ハウジングは、前記複数のコンタクトが挿入されて前記第１段差及び前記第２段差が対向するように対をなす当該複数のコンタクトを列方向に配置する複数のキャビティと、前記複数のコンタクトが挿入される方向と略直交する方向に開口されて当該対をなす複数のコンタクトの間に前記位置決め保証部材が挿入される収容室と、を有し、
前記位置決め保証部材は、相反する向きに形成されて前記ハウジングに挿入される前記対をなす複数のコンタクトの前記第１段差に第１次係止する複数対の弾性係止片と、相反する向きに形成されて前記対をなす複数のコンタクトの前記第２段差に第２次係止する複数対の剛体係止片と、を有するコネクタ。
【請求項２】
前記複数対の弾性係止片は、列方向に相互に結合する楔状の先端部を有する請求項１記載のコネクタ。
【請求項３】
前記一つ以上の位置決め保証部材は、一つの位置決め保証部材からなり、この位置決め保証部材は、前記複数のコンタクトが二段に配列された前記ハウジングの当該コンタクトの列方向から挿入される請求項１又は２記載のコネクタ。
【請求項４】
前記第１段差及び前記第２段差は、展開板が角筒状に屈折されて二重に折り重なる部位から外部に突出するコンタクトランスである請求項１から３のいずれかに記載のコネクタ。
【請求項５】
前記コンタクトは、前記結線部が電線を圧着する圧着コンタクトである請求項１から４のいずれかに記載のコネクタ。
【請求項６】
前記ハウジングは、前記キャビティに連通して前記相手側コンタクトが挿入される挿入開口を設けるヘッダーと、このヘッダーの周囲を囲うシュラウドと、前記ヘッダー及び前記シュラウドとの間に介装されて相手側コネクタの端縁が付勢される防水用のシールリングと、を有する請求項１から５のいずれかに記載のコネクタ。
【請求項７】
前記コンタクトは、前記結線部及び前記キャビティを防水するゴム止栓を備える請求項１から６のいずれかに記載のコネクタ。
【発明の詳細な説明】
【技術分野】
【０００１】
本発明は、コネクタに関する。特に、電線を接続する端子の位置決めを保証する端子位置決め保証部材（Ｔｅｒｍｉｎａｌ  Ｐｏｓｉｔｉｏｎ  Ａｓｓｕｒａｎｃｅ  Ｍｅｍｂｅｒ：以下、ＴＰＡと略称する）を備えるコネクタの構造に関する。
【背景技術】
【０００２】
例えば、電線と電線を接続する一対のコネクタは、一方のコネクタがおすコンタクト（おす端子）を有するプラグであり、他方のコネクタがめすコンタクト（めす端子）を有するリセプタクルであり、プラグがリセプタクルと着脱するコネクタを構成している。そして、電線が接続されためすコンタクトをリセプタクルに組み込むときに、ハウジングに対してめすコンタクトの位置決めを保証するＴＰＡがこのリセプタクルに設けられている。
【０００３】
このようなＴＰＡ付きのリセプタクルとしては、ハウジングの小型化を図る上での妨げとなっていたキャビティ間のピッチを小さく抑えるＴＰＡ付きのリセプタクルが発明されている（例えば、特許文献１参照）。
【０００４】
特許文献１によるリセプタクルは、ＴＰＡがハウジングの底面から差し込まれ、ランスが設けられている。ランスは、２本のアーム部の突き合わせ部に係止突部を設けた両持ち状に形成され、キャビティの横幅方向に撓み変形可能とされる。第１アーム部の根元部が固定係止部となる。
【０００５】
ＴＰＡが仮係止位置に保持された状態でめす端子がキャビティ内に挿入され、スタビライザとの係合によりランス（弾性係止部）を撓み変形させつつ押し込まれて、正規位置まで押し込まれると、ランスが復元変形して係止突部の係止面がスタビライザの後面に一次係止する。この状態からＴＰＡが本係止位置に押し込まれると、根元部（固定係止部）が、めす端子の接続部の後縁に嵌まって二重係止される。
【０００６】
特許文献１によるリセプタクルは、ランス（弾性係止部）と根元部（固定係止部）とがめす端子の挿入方向に並んでいて、キャビティの幅方向について寸法を取らないから、その分、隣り合うキャビティ間のピッチを小さく抑えることができ、もってキャビティが並んだ方向についてハウジングの小型化を図ることができる、としている。
【特許文献１】特開２００３−３１２９１号公報
【発明の開示】
【発明が解決しようとする課題】
【０００７】
前述したＴＰＡ付きのリセプタクルは、一層の小型化が求められている。特許文献１によるリセプタクルは、キャビティが並んだ方向についてハウジングの小型化を図ることができる、としている。しかし、特許文献１によるリセプタクルは、キャビティが２段以上に並んだ方向について、ハウジングの小型化を図ることがそのＴＰＡの構造上、容易ではない。ＴＰＡに設けられた二つのランスが撓み得る空間（収容室）を上下２段に必要とするからである。
【０００８】
ＴＰＡの構造を変えて、キャビティが２段以上に並んだ方向について、ハウジングの小型化を図ることができれば、ＴＰＡ付きのリセプタクルは、一層の小型化が実現できる。そして、以上のことが本発明の課題といってよい。
【０００９】
本発明は、このような問題に鑑みてなされたものであり、キャビティが２段以上に並んだ方向について、ハウジングの小型化を図ることが可能なＴＰＡ付きのコネクタを提供することを目的とする。
【課題を解決するための手段】
【００１０】
本発明者らは、コンタクトに設けられた第１及び第２段差が対向するように、一対のコンタクトをハウジングの上下２段のキャビティに配列し、これらコンタクトの間にＴＡＰを挿入し、このＴＰＡが第１段差に係止する弾性係止部、及び第２段差に係止する固定係止部を相反する向きに形成することにより、キャビティが２段以上に並んだ方向について、ハウジングの小型化を図ることが可能なことを見出し、これに基づいて、以下のような新たなＴＰＡ付きのコネクタを発明するに至った。
【００１１】
（１）  電線が接続される結線部、及びこの結線部の基端側に設けられて相手側コンタクトが接続される角筒状の接続部を有する複数のコンタクトと、これらのコンタクトを縦横に配列して収容するハウジングと、このハウジングに嵌合して前記複数のコンタクトの位置決めを保証する一つ以上の平板状の位置決め保証部材と、を備え、前記コンタクトの接続部は、先端部側に設けられた第１段差と、基端部側に設けられた第２段差と、を有し、前記ハウジングは、前記複数のコンタクトが挿入されて前記第１段差及び前記第２段差が対向するように対をなす当該複数のコンタクトを列方向に配置する複数のキャビティと、前記複数のコンタクトが挿入される方向と略直交する方向に開口されて当該対をなす複数のコンタクトの間に前記位置決め保証部材が挿入される収容室と、を有し、前記位置決め保証部材は、相反する向きに形成されて前記ハウジングに挿入される前記対をなす複数のコンタクトの前記第１段差に第１次係止する複数対の弾性係止片と、相反する向きに形成されて前記対をなす複数のコンタクトの前記第２段差に第２次係止する複数対の剛体係止片と、を有するコネクタ。
【００１２】
（１）の発明によるコネクタは、複数のコンタクト、ハウジング、及び一つ以上の平板状の位置決め保証部材を備えている。コンタクトは、結線部と角筒状の接続部を有している。結線部には電線が接続される。接続部は、結線部の基端側に設けられて相手側コンタクトが接続される。ハウジングは、複数のコンタクトを縦横に配列して収容している。位置決め保証部材は、ハウジングに嵌合して複数のコンタクトの位置決めを保証する。
【００１３】
そして、コンタクトの接続部は、第１段差と第２段差を有している。第１段差は、接続部の先端部側に設けられている。第２段差は、接続部の基端部側に設けられている。又、ハウジングは、複数のキャビティと収容室を有している。複数のキャビティには、複数のコンタクトが挿入されて、第１段差及び第２段差が対向するように対をなす複数のコンタクトを列方向に配置している。収容室は、複数のコンタクトが挿入される方向と略直交する方向に開口されて、対をなす複数のコンタクトの間に位置決め保証部材が挿入される。
【００１４】
更に、位置決め保証部材は、複数対の弾性係止片と複数対の剛体係止片を有している。複数対の弾性係止片は、相反する向きに形成されており、ハウジングに挿入される対をなす複数のコンタクトの第１段差に第１次係止可する。複数対の剛体係止片は、相反する向きに形成されており、対をなす複数のコンタクトの第２段差に第２次係止する。
【００１５】
例えば、本発明によるコネクタは、リセプタクルであってよく、このリセプタクルに接続される相手側コネクタがプラグであってよい。一方のコネクタ及び他方のコネクタは電線付きのコネクタであってよく、このように、一方のコネクタと他方のコネクタが互いに嵌合可能な一組のコネクタは、いわゆるワイヤー・ツゥー・ワイヤー・コネクタ（Ｗｉｒｅ  ｔｏ  Ｗｉｒｅ  Ｃｏｎｎｅｃｔｏｒ）と呼ばれる。又、中継コネクタとも呼ばれる。
【００１６】
又、本発明によるコネクタが電線付きのコネクタであって、相手側コネクタがプリント基板に実装されるプリント基板用コネクタであってもよく、このように一方のコネクタと他方のコネクタが互いに嵌合可能な一組のコネクタは、いわゆるワイヤー・ツゥー・ボード・コネクタ（Ｗｉｒｅ  ｔｏ  Ｂｏａｒｄ  Ｃｏｎｎｅｃｔｏｒ）と呼ばれる。
【００１７】
本発明によるコンタクトは、めすコンタクトであってよく、相手側コンタクトは、おすコンタクトであってよく、めすコンタクトにおすコンタクトが接続される。そして、コンタクトの結線部には電線が接続される。結線部に電線を接続するとは、電線を圧着する態様を含み、電線を圧接する態様を含むことができる。
【００１８】
例えば、コンタクトは、所要の形状に打ち抜かれた展開板が成形されてよく、一端側に電線が接続される結線部を成形してよく、他端側に角筒状の接続部を成形できる。接続部は、先端側が開口されてよく、この開口に相手側コンタクトが挿入されて、電気的に接続することができる。コンタクトは、導電性を有しており、銅合金などの導電性金属が好適に用いられるが、銅合金に限定されない。
【００１９】
ハウジング及び位置決め保証部材は、絶縁性を有している。絶縁性を有するとは、非導電性の材料からなることであってよく、ハウジング及び位置決め保証部材は、絶縁性の合成樹脂を成形して所望の形状を得ることができる。ハウジングは、直方体状に形成されてよく、円柱状に形成されてもよく、楕円柱状に形成されてもよく、複数のコンタクトを縦横に配列して収容する。位置決め保証部材は、平板状に成形される。
【００２０】
位置決め保証部材は、リテーナとも呼ばれ、ハウジングに嵌合して、電線を接続するコンタクトの位置決めを保証する。位置決めを保証するとは、相手側コンタクトが挿入されたときに、コンタクトが容易に移動しない機能を含み、個別のコンタクトの取り付け位置が正しいかを検査する機能を含んでいる。取り付け位置が不適合のコンタクトは、正しいコンタクトと交換される。
【００２１】
第１段差及び第２段差は、コンタクトの先端部側が高く、コンタクトの基端部側が低い段差であってよく、位置決め保証部材の一部が段差に向かうことにより、コンタクトの取り付け位置を検査できる。又、位置決め保証部材の一部が段差を横切ることにより、コンタクトを保持できる。例えば、第１段差及び前記第２段差は、展開板が角筒状に屈折されて二重に折り重なる部位から外部に突出するコンタクトランスであってよく、ボスを設けてもよい。
【００２２】
キャビティは、相手側コンタクトが挿入される挿入開口を含んでよく、電線及び結線部が挿通される挿通開口を含んでよく、収容室に挿入された位置決め保証部材がコンタクトを保持する部分も含まれる。第１段差及び第２段差が対向するように対をなして複数のコンタクトがキャビティに挿入されてよく、少なくともキャビティは二列に配置されてよく、二列が組になって多段にキャビティを配置してもよい。
【００２３】
位置決め保証部材は、コンタクトの列方向から挿入されてよく、複数対の弾性係止片が第１段差に第１次係止することにより、複数のコンタクトの第１次の位置決めが検査される。この第１次係止段階で不合格のコンタクトは、正しいコンタクトと交換される。
【００２４】
第１次係止段階で全てのコンタクトが合格すると、位置決め保証部材が完全に挿入されて、第１段差に複数対の弾性係止片が第２次係止すると共に、第２段差に複数対の剛体係止片が第２次係止して、コンタクトの位置決めが保証される。
【００２５】
（１）の発明によるコネクタは、対なすコンタクトの第１段差に第１次係止する複数対の弾性係止片と、対をなす複数のコンタクトの第２段差に第２次係止する複数対の剛体係止片と、が相反する向きに形成されているので、ハウジングの小型化を図ることが可能となっている。
【００２６】
（２）  前記複数対の弾性係止片は、列方向に相互に結合する楔状の先端部を有する（１）記載のコネクタ。
【００２７】
二列に配置されたキャビティの挿入開口の間には、横長の矩形開口が設けられてよく、この矩形開口は、収容室に連通している。この矩形開口にマイナスドライバー状の挿入工具が挿入されてよく、楔状の先端部を移動して、第１段差から弾性係止片を離間させることにより、第１次係止段階で不合格のコンタクトを正しいコンタクトと交換できる。
【００２８】
（３）  前記一つ以上の位置決め保証部材は、一つの位置決め保証部材からなり、この位置決め保証部材は、前記複数のコンタクトが二段に配列された前記ハウジングの当該コンタクトの列方向から挿入される（１）又は（２）記載のコネクタ。
【００２９】
（４）  前記第１段差及び前記第２段差は、展開板が角筒状に屈折されて二重に折り重なる部位から外部に突出するコンタクトランスである（１）から（３）のいずれかに記載のコネクタ。
【００３０】
（５）  前記コンタクトは、前記結線部が電線を圧着する圧着コンタクトである（１）から（４）のいずれかに記載のコネクタ。
【００３１】
電線を圧着する結線部は、Ｕ字状に開口したオープンクリンプバレルを有してよく、オープンクリンプバレルは、電線の被覆を圧着するインシュレーショングリップを含み、電線の導体を圧着するコンダクトバレルを含むことができる。
【００３２】
（６）  前記ハウジングは、前記キャビティに連通して前記相手側コンタクトが挿入される挿入開口を設けるヘッダーと、このヘッダーの周囲を囲うシュラウドと、前記ヘッダー及び前記シュラウドとの間に介装されて相手側コネクタの端縁が付勢される防水用のシールリングと、を有する（１）から（５）のいずれかに記載のコネクタ。
【００３３】
（６）の発明によるコネクタは、相手側コネクタと組み合わされる防水コネクタとすることができる。後述する筒状のゴム止栓も備えることが好ましい。
【００３４】
（７）  前記コンタクトは、前記結線部及び前記キャビティを防水するゴム止栓を備える（１）から（６）のいずれかに記載のコネクタ。
【発明の効果】
【００３５】
本発明によるコネクタは、対なすコンタクトの第１段差に第１次係止する複数対の弾性係止片と、対をなす複数のコンタクトの第２段差に第２次係止する複数対の剛体係止片と、が相反する向きに形成されているので、ハウジングの小型化を図ることが可能となっている。
【発明を実施するための最良の形態】
【００３６】
以下、図面を参照して本発明を実施するための最良の形態を説明する。
【００３７】
図１は、本発明によるコネクタの一実施形態を示す斜視分解組立図であり、相手側コネクタを対向配置した状態図である。図２は、前記実施形態によるコネクタの斜視分解組立図であり、相手側コネクタを対向配置した状態を図１と異なる方向から観ている。図３は、前記実施形態によるコネクタに備わるコンタクトの正面図である。図４は、前記実施形態によるコネクタに備わるコンタクトの結線部の斜視外観図である。図５は、前記実施形態によるコネクタに備わるコンタクトの接続部の斜視外観図である。
【００３８】
図６は、前記実施形態によるコネクタに備わるハウジングの斜視外観図である。図７は、前記実施形態によるコネクタに備わる位置決め保証部材の斜視外観図である。図８は、前記実施形態によるコネクタに備わる位置決め保証部材の斜視外観図であり、図７と異なる方向から位置決め保証部材を観ている。図９は、前記実施形態によるコネクタに備わる位置決め保証部材の左側面図である。
【００３９】
図１０は、前記実施形態によるコネクタの斜視外観図であり、位置決め保証部材がコネクタに挿入されて複数のコンタクトを第１次係止した状態図である。図１１は、前記実施形態によるコネクタの斜視外観図であり、位置決め保証部材がコネクタに挿入されて複数のコンタクトを第２次係止した状態図である。
【００４０】
図１２は、前記実施形態によるコネクタが相手側コネクタと嵌合した状態を示す斜視外観図である。図１３は、前記実施形態によるコネクタの縦断面図であり、位置決め保証部材がコネクタに挿入されて複数のコンタクトを第１次係止した状態図である。図１４は、前記実施形態によるコネクタの縦断面図であり、位置決め保証部材がコネクタに挿入されて複数のコンタクトを第２次係止した状態図である。
【００４１】
最初に、本発明によるコネクタの構成を説明する。なお、以下の説明において、本発明によるコネクタは、めすコンタクトを有するリセプタクルとし、このリセプタクルに接続する相手側コネクタはおすコンタクト（相手側コンタクト）を有するプラグとして説明する。
【００４２】
図１及び図２において、リセプタクル１０は、複数のコンタクト１、ハウジング２、平板状の位置決め保証部材（以下、ＴＰＡという）３を備えている。コンタクト１は、結線部１１と角筒状の接続部１２を有している（図３から図５参照）。結線部１１には電線１ｗが接続されている（図４参照）。接続部１２は、結線部１１の基端側に設けられて相手側コンタクトが接続される。
【００４３】
図１及び図２において、ハウジング２は、６個のコンタクト１を縦横に配列して収容している。ＴＰＡ３は、ハウジング２に嵌合して複数のコンタクト１の位置決めを保証することができる。
【００４４】
図３及び図５において、コンタクト１の接続部１２は、第１段差１２ａと第２段差１２ｂを有している。第１段差１２ａは、接続部１２の先端部側に設けられている。第２段差１２ｂは、接続部１２の基端部側に設けられている。
【００４５】
図１及び図２において、ハウジング２は、６個のキャビティ２１と収容室２２を有している。６個のキャビティ２１には、６個のコンタクト１が挿入されて、第１段差１２ａ及び第２段差１２ｂが対向するように、対をなす６個のコンタクト１を列方向に配置している（図１３及び図１４参照）。収容室２２は、６個のコンタクト１が挿入される方向と略直交する方向に開口されて、対をなす６個のコンタクト１の間にＴＰＡ３が挿入される（図１３及び図１４参照）。
【００４６】
図７から図９において、ＴＰＡ３は、複数対の弾性係止片３１・３１と複数対の剛体係止片３２・３２を有している。複数対の弾性係止片３１・３１は、相反する向きに形成されており、ハウジング２に挿入される対をなす複数のコンタクト１・１の第１段差１２ａに第１次係止する（図１及び図３参照）。複数対の剛体係止片３２・３２は、相反する向きに形成されており、対をなす複数のコンタクト１・１の第２段差１２ｂに第２次係止する。
【００４７】
図７から図９において、ＴＰＡ３は、絶縁性の合成樹脂を成形されて、平板状の外形を得ている。複数対の弾性係止片３１・３１は、先端部が荷重によって撓む片持ち梁となっている。剛体係止片３２・３２は、外部からの荷重による変形が殆ど影響しない肉厚の梁となっている。又、ＴＰＡ３の一端側には、ハウジング２の外壁に当接して、ＴＰＡ３の進出が阻止されるフランジ３３が設けられている。更に、ＴＰＡ３の一端側には、工具などを利用してＴＰＡ３を引き出すための陥没穴３４が設けられている。
【００４８】
図１及び図２において、相手側コネクタ（以下、プラグという）４０は、プリント基板（図示せず）に実装されるプリント基板用コネクタを示している。プラグ４０には、コンタクト１と接続する複数の相手側コンタクト（以下、ピンコンタクトという）４１が配置されている。ピンコンタクト４１の一端は、ハウジングのスカートから突出しており、プリント基板に接続される。ピンコンタクト４１の他端は、ハウジングの空洞部に突出しており、コンタクト１に接続できる。
【００４９】
図３及び図５において、コンタクト１は、所要の形状に打ち抜かれた展開板（図示せず）が成形されており、一端側に電線１ｗが接続される結線部１１を成形おり、他端側に角筒状の接続部１２を成形している。接続部１２は、先端側が開口されており、この開口にピンコンタクト４１が挿入されて、電気的に接続することができる。
【００５０】
図３及び図５において、コンタクト１は、結線部１１が電線１ｗを圧着する圧着コンタクトとなっている。そして、結線部１１は、Ｕ字状に開口したインシュレーショングリップ１１ａ及びコンダクトバレル１１ｂを有している。インシュレーショングリップ１１ａは電線１ｗの被覆を圧着している。コンダクトバレル１１ｂは、電線１ｗの導体を圧着している。
【００５１】
図３及び図５において、第１段差１２ａ及び第２段差１２ｂは、展開板が角筒状に屈折されて二重に折り重なる一対の折り重ね部１２１・１２１が外部に突出している。折り重ね部１２１には、半月状に隆起するボス１２ｃが設けられている。
【００５２】
図６において、ハウジング２は、絶縁性の合成樹脂が成形されて、外形が楕円柱状に形成されている。ハウジング２は、ヘッダー２ａ、シュラウド２ｂ、ロックアーム２ｃを有している。
【００５３】
ヘッダー２ａの前面には、キャビティ２１に連通してピンコンタクト４１が挿入される６個の挿入開口２１ａを設けている（図１及び図２参照）。又、ヘッダー２ａの側面には、矩形に開口されており、収容室２２に連通している。
【００５４】
図６において、シュラウド２ｂは、ヘッダー２ａの周囲を囲っている。シュラウド２ｂは、収容室２２の開口に対向する側面が方形に切り欠かれている。そして、シュラウド２ｂの頂部には、ロックアーム２ｃが設けられている。ロックアーム２ｃは、プラグ４０との結合を維持できる（図１０参照）。
【００５５】
図１及び図２において、ハウジング２は、ヘッダー２ａとシュラウド２ｂとの間に介装されて、プラグ４０の端縁が付勢される防水用のシールリング２ｓを設けている。又、コンタクト１は、結線部１１及びキャビティ２１を防水する筒状のゴム止栓１ｓを備えている。防水用のシールリング２ｓ及びゴム止栓１ｓを備えることにより、リセプタクル１０をプラグ４０と組み合わされる防水コネクタとすることができる。
【００５６】
図１及び図２において、キャビティ２１は、ピンコンタクト４１が挿入される挿入開口２１ａを含んでよく（図６参照）、電線１ｗ及び結線部１１が挿通される挿通開口２１ｂを含んでよく（図１０参照）、収容室２２に挿入されたＴＰＡ３がコンタクト１を保持する部分も含まれる。
【００５７】
図３及び図５において、第１段差１２ａ及び第２段差１２ｂが対向するように、対をなして複数のコンタクト１がキャビティ２１に挿入されてよく、キャビティ２１は、二列に配置されている（図１及び図２参照）。
【００５８】
図６において、二列に配置されたキャビティ２１の挿入開口２１ａの間には、横長の矩形開口２１ｃが設けられている。矩形開口２１ｃは、収容室２２に連通している。なお、矩形開口２１ｃの作用は後述する。
【００５９】
次に、本発明によるコネクタの作用を説明する。図３及び図５において、第１段差１２ａ及び第２段差１２ｂは、コンタクト１の先端部側が高く、コンタクト１の基端部側が低い段差になっている。ＴＰＡ３の弾性係止片３１が第１段差１２ａに向かうことにより、コンタクト１の取り付け位置を検査できる（図１３参照）。又、ＴＰＡ３の剛体係止片３２が第２段差１２ｂを横切ることにより、コンタクト１を保持できる（図１４参照）。
【００６０】
図１３において、ＴＰＡ３は、コンタクト１の列方向から挿入されてよく、複数対の弾性係止片３１・３１が第１段差１２ａに第１次係止することにより、複数のコンタクト１の第１次の位置決めが検査される。この第１次係止段階で不合格のコンタクト１は、正しいコンタクト１と交換される。なお、第１次係止した段階は、図１０に示されるように、ＴＰＡ３がハウジング２から突出している。
【００６１】
図１３において、矩形開口２１ｃにマイナスドライバー状の挿入工具が挿入されてよく、楔状の先端部３１ａを移動して、第１段差１２ａから弾性係止片３１を離間させることにより、第１次係止段階で不合格のコンタクト１を正しいコンタクト１と交換できる。
【００６２】
図１３において、第１次係止段階で全てのコンタクト１の第１次係止段階での位置決めが合格すると、位ＴＰＡ３が完全に挿入されて、第１段差１２ａに複数対の弾性係止片３１・３１が第２次係止すると共に、第２段差１２ｂに複数対の剛体係止片３２・３２が第２次係止して、コンタクト１の位置決めが保証される（図１４参照）。
【００６３】
第２次係止した段階では、複数対の弾性係止片３１・３１は、肉厚の厚い弾性変形が容易でない部分に移動して、第１段差１２ａを係止しており、複数対の剛体係止片３２・３２の第２次係止と協働して、コンタクト１の位置決めが保証強化される。
【００６４】
第２次係止した段階では、図１１に示されるように、ＴＰＡ３のフランジ３３がハウジング２の外壁に当接して、これ以上の進出が阻止される。そして、プラグ４０を嵌合できる。
【００６５】
以上のとおり、本発明によるコネクタは、対なすコンタクトの第１段差に第１次係止する複数対の弾性係止片と、対をなす複数のコンタクトの第２段差に第２次係止する複数対の剛体係止片と、が相反する向きに形成されているので、ハウジングの小型化を図ることが可能となっている。
【図面の簡単な説明】
【００６６】
【図１】図１は、本発明によるコネクタの一実施形態を示す斜視分解組立図であり、相手側コネクタを対向配置した状態図である。
【図２】前記実施形態によるコネクタの斜視分解組立図であり、相手側コネクタを対向配置した状態を図１と異なる方向から観ている。
【図３】前記実施形態によるコネクタに備わるコンタクトの正面図である。
【図４】前記実施形態によるコネクタに備わるコンタクトの結線部の斜視外観図である。
【図５】前記実施形態によるコネクタに備わるコンタクトの接続部の斜視外観図である。
【図６】前記実施形態によるコネクタに備わるハウジングの斜視外観図である。
【図７】前記実施形態によるコネクタに備わる位置決め保証部材の斜視外観図である。
【図８】前記実施形態によるコネクタに備わる位置決め保証部材の斜視外観図であり、図７と異なる方向から位置決め保証部材を観ている。
【図９】前記実施形態によるコネクタに備わる位置決め保証部材の左側面図である。
【図１０】前記実施形態によるコネクタの斜視外観図であり、位置決め保証部材がコネクタに挿入されて複数のコンタクトを第１次係止した状態図である。
【図１１】前記実施形態によるコネクタの斜視外観図であり、位置決め保証部材がコネクタに挿入されて複数のコンタクトを第２次係止した状態図である。
【図１２】前記実施形態によるコネクタが相手側コネクタと嵌合した状態を示す斜視外観図である。
【図１３】前記実施形態によるコネクタの縦断面図であり、位置決め保証部材がコネクタに挿入されて複数のコンタクトを第１次係止した状態図である。
【図１４】前記実施形態によるコネクタの縦断面図であり、位置決め保証部材がコネクタに挿入されて複数のコンタクトを第２次係止した状態図である。
【符号の説明】
【００６７】
１  コンタクト
２  ハウジング
３  ＴＰＡ（位置決め保証部材）
１０  リセプタクル（コネクタ）
１１  結線部
１２  接続部
１２ａ  第１段差
１２ｂ  第２段差
２１  キャビティ
２２  収容室
３１・３１  複数対の弾性係止片
３２・３２  複数対の剛体係止片
４１  ピンコンタクト（相手側コンタクト）
【図１】
2009076234.tif 000003
【図２】
2009076234.tif 000004
【図３】
2009076234.tif 000005
【図４】
2009076234.tif 000006
【図５】
2009076234.tif 000007
【図６】
2009076234.tif 000008
【図７】
2009076234.tif 000009
【図８】
2009076234.tif 000010
【図９】
2009076234.tif 000011
【図１０】
2009076234.tif 000012
【図１１】
2009076234.tif 000013
【図１２】
2009076234.tif 000014
【図１３】
2009076234.tif 000015
【図１４】
2009076234.tif 000016